(57)【特許請求の範囲】
【請求項１】
筐体と、
前記筐体の内部で貨幣を搬送する搬送部と、
前記搬送部に接続され、前記筐体の外部から内部に貨幣を投入するための投入部と、
前記搬送部に接続され、当該搬送部から送られた貨幣を収納するとともに収納された貨幣を前記搬送部に繰り出すことができる収納繰出部と、
前記搬送部に接続され、前記収納繰出部から繰り出された貨幣が前記搬送部により送られる目的部と、
前記搬送部および前記収納繰出部の制御を行う制御部であって、前記収納繰出部から貨幣を繰り出して前記搬送部により前記目的部に送る通常処理、および前記通常処理を行う間に貨幣の搬送に係るエラーが発生したときに前記通常処理において前記収納繰出部から繰り出された貨幣であって前記投入部に投入された貨幣を前記搬送部により前記目的部に直接送るエラー貨幣戻し処理をそれぞれ行う制御部と、
を備えた、貨幣処理機。
【請求項２】
前記制御部は、前記エラー貨幣戻し処理により前記目的部に送られた貨幣の数が前記通常処理により前記目的部に送られるべき貨幣の数よりも少ないときに前記収納繰出部から不足分の数の貨幣を繰り出して前記搬送部により前記目的部に送る追加処理を行う、請求項１記載の貨幣処理機。
【請求項３】
前記搬送部に設けられ、前記投入部により前記筐体の外部から内部に投入された貨幣の識別を行う識別部と、
前記搬送部に接続され、前記通常処理が行われる際に前記目的部に送るべきではないと判別された貨幣が前記搬送部から送られるリジェクト部と、
を更に備え、
前記制御部は、前記エラー貨幣戻し処理を行う際に、前記投入部に投入された貨幣を前記識別部により識別し、当該識別部による識別結果に基づいて前記目的部に送るべきではないと判別された貨幣を前記リジェクト部に送るようになっている、請求項１または２記載の貨幣処理機。
【請求項４】
前記通常処理は、前記収納繰出部に収納されている貨幣を前記筐体の外部に投出する出金処理であり、
前記目的部は、前記搬送部に接続され、前記筐体の内部から外部に貨幣を投出するための投出部である、請求項１乃至３のいずれか一項に記載の貨幣処理機。
【請求項５】
前記通常処理は、前記収納繰出部に収納されている紙幣を帯封する帯封処理であり、
前記目的部は、前記搬送部に接続され、前記帯封処理において帯封されるべき紙幣が集積される帯封紙幣用集積部である、請求項１乃至３のいずれか一項に記載の貨幣処理機。
【請求項６】
筐体と、前記筐体の内部で貨幣を搬送する搬送部と、前記搬送部に接続され、前記筐体の外部から内部に貨幣を投入するための投入部と、前記搬送部に接続され、当該搬送部から送られた貨幣を収納するとともに収納された貨幣を前記搬送部に繰り出すことができる収納繰出部と、前記搬送部に接続され、前記収納繰出部から繰り出された貨幣が前記搬送部により送られる目的部と、前記搬送部および前記収納繰出部の制御を行う制御部とを備えた貨幣処理機による貨幣処理方法であって、
前記制御部が前記搬送部および前記収納繰出部を制御することにより、前記収納繰出部から貨幣を繰り出して前記搬送部により前記目的部に送る通常処理を行う工程と、
前記通常処理を行う間に貨幣の搬送に係るエラーが発生したときに、前記制御部が前記搬送部を制御することにより、前記投入部に投入された貨幣を前記搬送部により前記目的部に直接送る工程と、
を備えた、貨幣処理方法。
【請求項７】
前記投入部に投入された貨幣を前記搬送部により前記目的部に直接送る工程において、前記目的部に送られた貨幣の数が前記通常処理により前記目的部に送られるべき貨幣の数よりも少ないときに前記収納繰出部から不足分の数の貨幣を繰り出して前記搬送部により前記目的部に送る、請求項６記載の貨幣処理方法。
【請求項８】
前記投入部に投入された貨幣を前記搬送部により前記目的部に直接送る工程において、前記投入部に投入された貨幣を識別部により識別し、当該識別部による識別結果に基づいて前記目的部に送るべきではないと判別された貨幣をリジェクト部に送る、請求項６または７記載の貨幣処理方法。
【請求項９】
前記通常処理は、前記収納繰出部に収納されている貨幣を前記筐体の外部に投出する出金処理であり、
前記目的部は、前記搬送部に接続され、前記筐体の内部から外部に貨幣を投出するための投出部である、請求項６乃至８のいずれか一項に記載の貨幣処理方法。
【請求項１０】
前記通常処理は、前記収納繰出部に収納されている紙幣を帯封する帯封処理であり、
前記目的部は、前記搬送部に接続され、前記帯封処理において帯封されるべき紙幣が集積される帯封紙幣用集積部である、請求項６乃至８のいずれか一項に記載の貨幣処理方法。
【発明の詳細な説明】
【技術分野】
【０００１】
本発明は、紙幣や硬貨等の貨幣の処理を行う貨幣処理機およびこのような貨幣処理機による貨幣処理方法に関する。
【背景技術】
【０００２】
紙幣や硬貨等の貨幣の入金処理や出金処理等の様々な処理を行う貨幣処理機として、従来から様々なタイプのものが知られている。例えば、特許文献１に開示される硬貨入出金装置では、硬貨の入金処理を行う際に筐体の外部から内部に取り込まれた硬貨を金種別に分類して硬貨収納繰出部に金種別に収納させ、硬貨の出金処理を行う際に硬貨収納繰出部から繰り出された硬貨を取出箱に送って当該取出箱に収納させるようになっている。
【先行技術文献】
【特許文献】
【０００３】
【特許文献１】特開２０１０−１５２８２３号公報
【発明の概要】
【発明が解決しようとする課題】
【０００４】
特許文献１に開示される硬貨入出金装置では、硬貨の出金処理を行う際に、硬貨収納繰出部から取出箱に送られる硬貨が搬送路で詰まってしまう等のエラーが発生した場合には、硬貨入出金装置の扉を開いて筐体の内部にアクセスすることにより、硬貨収納繰出部から既に繰り出された硬貨（すなわち、搬送路上におけるエラーの要因となる硬貨を含む全ての硬貨および取出箱に収納されている硬貨）を筐体の外部に取り出して投入口に投入し、投入された硬貨を硬貨収納繰出部に戻すいわゆるエラー硬貨戻し処理を行ってから、硬貨の出金処理を最初からやり直していた（特許文献１の段落００５０〜段落００５８や図５等参照）。また、このようなエラー硬貨戻し処理を行う際に、筐体の外部に取り出された硬貨のうち破損したり汚れていたりすることにより出金硬貨としてふさわしくない硬貨は別の硬貨と交換していた。
【０００５】
しかしながら、エラー硬貨戻し処理を行う際に投入口に投入された硬貨を全て硬貨収納繰出部に戻し、硬貨の出金処理を最初からやり直す場合には、硬貨の出金処理が完了するまでに時間がかかるという問題があった。一方、硬貨の出金処理を早く完了させるために上記のエラー硬貨戻し処理を出金処理の後に行うようにした場合には、出金処理が完了した後にエラー硬貨戻し処理を行うことを操作者が忘れてしまうおそれがある。
【０００６】
本発明は、このような点を考慮してなされたものであり、貨幣の出金処理や帯封処理等を最初からやり直す必要がないため当該処理が完了するまでにかかる時間を短縮することができ、また、エラー貨幣戻し処理が出金処理や帯封処理等よりも後回しにされてしまうことを極力抑制することができる貨幣処理機および貨幣処理方法を提供することを目的とする。
【課題を解決するための手段】
【０００７】
本発明の貨幣処理機は、筐体と、前記筐体の内部で貨幣を搬送する搬送部と、前記搬送部に接続され、前記筐体の外部から内部に貨幣を投入するための投入部と、前記搬送部に接続され、当該搬送部から送られた貨幣を収納するとともに収納された貨幣を前記搬送部に繰り出すことができる収納繰出部と、前記搬送部に接続され、前記収納繰出部から繰り出された貨幣が前記搬送部により送られる目的部と、前記搬送部および前記収納繰出部の制御を行う制御部であって、前記収納繰出部から貨幣を繰り出して前記搬送部により前記目的部に送る通常処理、および前記通常処理を行う間に貨幣の搬送に係るエラーが発生したときに前記通常処理において前記収納繰出部から繰り出された貨幣であって前記投入部に投入された貨幣を前記搬送部により前記目的部に直接送るエラー貨幣戻し処理をそれぞれ行う制御部と、を備えたことを特徴とする。
【０００８】
このような貨幣処理機によれば、貨幣の出金処理や帯封処理等の通常処理を行う間に貨幣の搬送に係るエラーが発生したときに、収納繰出部から繰り出された貨幣であって投入部に投入された貨幣を搬送部により目的部に直接送るエラー貨幣戻し処理を行うことにより、貨幣の出金処理や帯封処理等の通常処理を最初からやり直す必要がないため当該処理が完了するまでにかかる時間を短縮することができ、また、エラー貨幣戻し処理が出金処理や帯封処理等よりも後回しにされてしまうことを極力抑制することができる。
【０００９】
本発明の貨幣処理機においては、前記制御部は、前記エラー貨幣戻し処理により前記目的部に送られた貨幣の数が前記通常処理により前記目的部に送られるべき貨幣の数よりも少ないときに前記収納繰出部から不足分の数の貨幣を繰り出して前記搬送部により前記目的部に送る追加処理を行うようになっていてもよい。
【００１０】
本発明の貨幣処理機は、前記搬送部に設けられ、前記投入部により前記筐体の外部から内部に投入された貨幣の識別を行う識別部と、前記搬送部に接続され、前記通常処理が行われる際に前記目的部に送るべきではないと判別された貨幣が前記搬送部から送られるリジェクト部と、を更に備え、前記制御部は、前記エラー貨幣戻し処理を行う際に、前記投入部に投入された貨幣を前記識別部により識別し、当該識別部による識別結果に基づいて前記目的部に送るべきではないと判別された貨幣を前記リジェクト部に送るようになっていてもよい。
【００１１】
本発明の貨幣処理機においては、前記通常処理は、前記収納繰出部に収納されている貨幣を前記筐体の外部に投出する出金処理であり、前記目的部は、前記搬送部に接続され、前記筐体の内部から外部に貨幣を投出するための投出部であってもよい。
【００１２】
あるいは、前記通常処理は、前記収納繰出部に収納されている紙幣を帯封する帯封処理であり、前記目的部は、前記搬送部に接続され、前記帯封処理において帯封されるべき紙幣が集積される帯封紙幣用集積部であってもよい。
【００１３】
本発明の貨幣処理方法は、筐体と、前記筐体の内部で貨幣を搬送する搬送部と、前記搬送部に接続され、前記筐体の外部から内部に貨幣を投入するための投入部と、前記搬送部に接続され、当該搬送部から送られた貨幣を収納するとともに収納された貨幣を前記搬送部に繰り出すことができる収納繰出部と、前記搬送部に接続され、前記収納繰出部から繰り出された貨幣が前記搬送部により送られる目的部と、前記搬送部および前記収納繰出部の制御を行う制御部とを備えた貨幣処理機による貨幣処理方法であって、前記制御部が前記搬送部および前記収納繰出部を制御することにより、前記収納繰出部から貨幣を繰り出して前記搬送部により前記目的部に送る通常処理を行う工程と、前記通常処理を行う間に貨幣の搬送に係るエラーが発生したときに、前記制御部が前記搬送部を制御することにより、前記投入部に投入された貨幣を前記搬送部により前記目的部に直接送る工程と、を備えたことを特徴とする。
【００１４】
このような貨幣処理方法によれば、収納繰出部から貨幣を繰り出して搬送部により目的部に送る通常処理を行う間に貨幣の搬送に係るエラーが発生したときに、通常処理において収納繰出部から繰り出された貨幣を搬送部や目的部から取り出して投入部に投入すると、投入部に投入された貨幣が搬送部により目的部に直接送られるようになり、このことによって、貨幣の出金処理や帯封処理等の通常処理を最初からやり直す必要がないため当該処理が完了するまでにかかる時間を短縮することができ、また、貨幣の搬送に係るエラーが発生したときに、通常処理において収納繰出部から繰り出された貨幣を搬送部や目的部から取り出して投入部に投入する処理が出金処理や帯封処理等よりも後回しにされてしまうことを極力抑制することができる。
【００１５】
本発明の貨幣処理方法においては、前記投入部に投入された貨幣を前記搬送部により前記目的部に直接送る工程において、前記目的部に送られた貨幣の数が前記通常処理により前記目的部に送られるべき貨幣の数よりも少ないときに前記収納繰出部から不足分の数の貨幣を繰り出して前記搬送部により前記目的部に送るようになっていてもよい。
【００１６】
本発明の貨幣処理方法においては、前記投入部に投入された貨幣を前記搬送部により前記目的部に直接送る工程において、前記投入部に投入された貨幣を識別部により識別し、当該識別部による識別結果に基づいて前記目的部に送るべきではないと判別された貨幣をリジェクト部に送るようになっていてもよい。
【００１７】
本発明の貨幣処理方法においては、前記通常処理は、前記収納繰出部に収納されている貨幣を前記筐体の外部に投出する出金処理であり、前記目的部は、前記搬送部に接続され、前記筐体の内部から外部に貨幣を投出するための投出部であってもよい。
【００１８】
あるいは、前記通常処理は、前記収納繰出部に収納されている紙幣を帯封する帯封処理であり、前記目的部は、前記搬送部に接続され、前記帯封処理において帯封されるべき紙幣が集積される帯封紙幣用集積部であってもよい。
【発明の効果】
【００１９】
本発明の貨幣処理機および貨幣処理方法によれば、貨幣の出金処理や帯封処理等の通常処理を行う間に貨幣の搬送に係るエラーが発生したときでも貨幣の出金処理や帯封処理等を最初からやり直す必要がないため当該処理が完了するまでにかかる時間を短縮することができ、また、エラー貨幣戻し処理が出金処理や帯封処理等よりも後回しにされてしまうことを極力抑制することができる。
【図面の簡単な説明】
【００２０】
【図１】本発明の実施の形態による紙幣処理機の構成の概略を示す概略構成図であって、（ａ）は、バラ紙幣処理ユニットの構成を示す構成図であり、（ｂ）は、束紙幣処理ユニットの構成を示す構成図である。
【図２】図１に示す紙幣処理機の制御系の構成を示す機能ブロック図である。
【図３】図１等に示す紙幣処理機において出金処理を行う際に紙幣の搬送に係るエラーが発生し、エラー解除により取り出された紙幣を紙幣投入部に投入したときの紙幣の流れを示す説明図である。
【図４】図１等に示す紙幣処理機において出金処理を行う際に紙幣の搬送に係るエラーが発生し、エラー解除により取り出された紙幣を紙幣投入部に投入したときの紙幣の流れを示す説明図である。
【図５】図１等に示す紙幣処理機において出金処理を行う際に紙幣の搬送に係るエラーが発生し、エラー解除により取り出された紙幣を紙幣投入部に投入したときの紙幣の流れを示す説明図である。
【図６】図１等に示す紙幣処理機において帯封処理を行う際に紙幣の搬送に係るエラーが発生し、エラー解除により取り出された紙幣を紙幣投入部に投入したときの紙幣の流れを示す説明図である。
【図７】図１等に示す紙幣処理機において出金処理を行う際に紙幣の搬送に係るエラーが発生し、エラー解除により取り出された紙幣を紙幣投入部に投入したときの紙幣処理機の動作を示すフローチャートである。
【図８】図１等に示す紙幣処理機において帯封処理を行う際に紙幣の搬送に係るエラーが発生し、エラー解除により取り出された紙幣を紙幣投入部に投入したときの紙幣処理機の動作を示すフローチャートである。
【発明を実施するための形態】
【００２１】
以下、図面を参照して本発明の実施の形態について説明する。図１乃至図８は、本実施の形態に係る紙幣処理機を示す図である。このうち、図１は、本実施の形態による紙幣処理機の構成の概略を示す概略構成図であり、図２は、図１に示す紙幣処理機の制御系の構成を示す機能ブロック図である。また、図３乃至図５は、それぞれ、図１等に示す紙幣処理機において出金処理を行う際に紙幣の搬送に係るエラーが発生し、エラー解除により取り出された紙幣を紙幣投入部に投入したときの紙幣の流れを示す説明図であり、図６は、図１等に示す紙幣処理機において帯封処理を行う際に紙幣の搬送に係るエラーが発生し、エラー解除により取り出された紙幣を紙幣投入部に投入したときの紙幣の流れを示す説明図である。また、図７および図８は、それぞれ、図１等に示す紙幣処理機において出金処理や帯封処理を行う際に紙幣の搬送に係るエラーが発生し、エラー解除により取り出された紙幣を紙幣投入部に投入したときの紙幣処理機の動作を示すフローチャートである。
【００２２】
図１に示すように、本実施の形態による紙幣処理機は、図１（ａ）に示すようなバラ紙幣処理ユニット１００と、図１（ｂ）に示すような束紙幣処理ユニット２００とから構成されている。具体的には、バラ紙幣処理ユニット１００および束紙幣処理ユニット２００はそれぞれ略直方体形状のものとなっており、これらのバラ紙幣処理ユニット１００および束紙幣処理ユニット２００が左右に並ぶよう配置されることにより紙幣処理機が構成されている。バラ紙幣処理ユニット１００および束紙幣処理ユニット２００の各構成部材について以下に説明する。
【００２３】
図１（ａ）に示すように、バラ紙幣処理ユニット１００は略直方体形状の筐体１０２を有しており、このバラ紙幣処理ユニット１００には、外部から筐体１０２内に紙幣を投入するための紙幣投入部１１０および筐体１０２内から外部にバラ紙幣を投出するためのバラ紙幣投出部１５２がそれぞれ設けられている。紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が接続されており、紙幣繰出部１１２により筐体１０２内に繰り出された紙幣は入金搬送部１１４により１枚ずつ搬送されるようになっている。ここで、入金搬送部１１４には入金識別部１１６が設けられており、入金搬送部１１４により搬送される紙幣は入金識別部１１６によりその金種、真偽、正損、新旧等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０はバラ紙幣処理ユニット１００の筐体１０２の外部からアクセス可能となっており、操作者はこの入金リジェクト部１２０に集積されたリジェクト紙幣を手動で取り出すことができるようになっている。
【００２４】
また、図１（ａ）に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は入金搬送部１１４や後述する下部搬送部１４６に対して並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０（特許請求の範囲における「収納繰出部」に対応）が設けられているとともに、各金種別一時保留部１３２に対応して複数の金種別紙幣収納庫１４２（特許請求の範囲における「収納繰出部」に対応）が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。
【００２５】
また、図１（ａ）に示すように、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。ここで、下部搬送部１４６には出金識別部１４８が接続されており、下部搬送部１４６により搬送される紙幣は出金識別部１４８によりその金種、真偽、正損、新旧等が識別されるようになっている。なお、出金識別部１４８は、紙幣の金種および新旧のみの識別を行い、紙幣の真偽、正損の識別は行わないようになっていてもよい。また、出金識別部１４８には出金搬送部１５０が接続されており、この出金識別部１４８により識別された紙幣は出金搬送部１５０により１枚ずつ搬送されるようになっている。
【００２６】
図１（ａ）に示すように、出金搬送部１５０にはバラ紙幣投出部１５２、出金リジェクト部１５４、２つの整理一時保留部１６０（特許請求の範囲における「帯封紙幣用集積部」に対応）がそれぞれ接続されており、出金識別部１４８により識別された紙幣のうち、筐体１０２の外部に投出されるべき紙幣は出金搬送部１５０によりバラ紙幣投出部１５２に送られてこのバラ紙幣投出部１５２に集積されるようになっている。バラ紙幣投出部１５２はバラ紙幣処理ユニット１００の筐体１０２の外部からアクセス可能となっており、操作者はこのバラ紙幣投出部１５２に集積されたバラ紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金リジェクト部１５４に集積されたリジェクト紙幣を取り出すにあたり、操作者はバラ紙幣処理ユニット１００の筐体１０２に設けられた扉を開いて出金リジェクト部１５４内のリジェクト紙幣を取り出すようになっている。また、出金識別部１４８により識別された紙幣のうち、束紙幣処理ユニット２００により帯封されるべき紙幣は出金搬送部１５０により各整理一時保留部１６０に送られるようになっている。各整理一時保留部１６０では、出金搬送部１５０から送られた紙幣が積層状態で集積されるようになっている。また、図１（ａ）に示すように、出金識別部１４８により識別された紙幣を出金搬送部１５０により表裏反転部１１８に送ることができるようになっており、出金搬送部１５０により表裏反転部１１８に送られた紙幣は入金搬送部１１４により一括一時保留部１３０や各金種別一時保留部１３２に搬送されるようになっている。
【００２７】
図１（ａ）に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、バラ紙幣投出部１５２への入口部分である出金搬送部１５０にも設けられている。
【００２８】
また、バラ紙幣処理ユニット１００には、筐体１０２の前面（図１における左側の面）からそれぞれ手前側に引き出し可能な複数の引き出し部１９０、１９２、１９４が設けられている。ここで、上段の引き出し部１９０には、紙幣投入部１１０、紙幣繰出部１１２、入金搬送部１１４の一部、入金識別部１１６、表裏反転部１１８、入金リジェクト部１２０、出金搬送部１５０の一部、各整理一時保留部１６０、バラ紙幣投出部１５２、出金リジェクト部１５４等がそれぞれ設けられており、引き出し部１９０を筐体１０２の前面から手前側に引き出すことにより操作者はこれらの構成部材にアクセスすることができるようになっている。また、中段の引き出し部１９２には、入金搬送部１１４の一部、一括一時保留部１３０および各金種別一時保留部１３２等がそれぞれ設けられており、引き出し部１９２を筐体１０２の前面から手前側に引き出すことにより操作者はこれらの構成部材にアクセスすることができるようになっている。また、下段の引き出し部１９４には、一括紙幣収納庫１４０、各金種別紙幣収納庫１４２、各紙幣繰出部１４４、下部搬送部１４６、出金識別部１４８および出金搬送部１５０の一部等がそれぞれ設けられており、引き出し部１９４を筐体１０２の前面から手前側に引き出すことにより操作者はこれらの構成部材にアクセスすることができるようになっている。
【００２９】
図１（ｂ）に示すように、束紙幣処理ユニット２００は略直方体形状の筐体２０２を有しており、この束紙幣処理ユニット２００の筐体２０２内には、整理一時保留部１６０に集積された紙幣の束を取り出すためのアーム部２１０と、アーム部２１０により取り出された紙幣の束を帯封するための帯封部２１２とがそれぞれ設けられている。アーム部２１０により整理一時保留部１６０から取り出された紙幣の束は帯封部２１２に送られて当該帯封部２１２により帯封されるようになっている。具体的には、帯封部２１２の近傍にはテープセット部２１４が設けられており、このテープセット部２１４から帯封紙が帯封部２１２に送られることによって、帯封部２１２において例えば１００枚の紙幣の束が帯封紙により結束されるようになっている。帯封部２１２には帯封紙幣搬送部２１６が接続されており、帯封部２１２により帯封された帯封紙幣は帯封紙幣搬送部２１６により帯封紙幣投出部２１８に搬送されるようになっている。帯封紙幣投出部２１８は束紙幣処理ユニット２００の筐体２０２の外部からアクセス可能となっており、操作者はこの帯封紙幣投出部２１８に送られた帯封紙幣を手動で取り出すことができるようになっている。
【００３０】
また、図１（ｂ）に示すように、帯封紙幣投出部２１８には帯封紙幣収納出金用搬送部２２０やリフト部２２４が接続されている。帯封紙幣収納出金用搬送部２２０には帯封紙幣判別部２２２が設けられており、この帯封紙幣判別部２２２は、帯封紙幣投出部２１８から帯封紙幣収納出金用搬送部２２０に送られた帯封紙幣の金種等の判別を行うようになっている。また、帯封紙幣収納出金用搬送部２２０には複数の帯封紙幣収納カセット２３０が接続されており、帯封部２１２により帯封された帯封紙幣のうち、帯封紙幣投出部２１８により筐体２０２の外部に投出されない帯封紙幣は帯封紙幣収納出金用搬送部２２０により各帯封紙幣収納カセット２３０に金種別に収納されるようになっている。また、各帯封紙幣収納カセット２３０にはカセット駆動部２３２が設けられており、これらのカセット駆動部２３２により、各帯封紙幣収納カセット２３０に収納された帯封紙幣が帯封紙幣収納出金用搬送部２２０に繰り出されるようになっている。各帯封紙幣収納カセット２３０から帯封紙幣収納出金用搬送部２２０に繰り出された帯封紙幣は帯封紙幣投出部２１８に送られ、この帯封紙幣投出部２１８から筐体２０２の外部に投出される。また、帯封紙幣搬送部２１６から帯封紙幣投出部２１８に送られた帯封紙幣はリフト部２２４により図１（ｂ）における上下方向に搬送可能となっている。ここで、リフト部２２４の下部にも回収用の開口が設けられており、リフト部２２４により下部に搬送された帯封紙幣はこの開口から筐体２０２の外部に投出可能となっている。
【００３１】
また、本実施の形態の紙幣処理機には、当該紙幣処理機のバラ紙幣処理ユニット１００および束紙幣処理ユニット２００の各構成部材の制御を行う制御部１０が設けられている。より詳細には、図２に示すように、制御部１０にはバラ紙幣処理ユニット１００の各構成部材（具体的には、紙幣繰出部１１２、入金搬送部１１４、入金識別部１１６、表裏反転部１１８、一括一時保留部１３０、金種別一時保留部１３２、紙幣繰出部１４４、下部搬送部１４６、出金識別部１４８、出金搬送部１５０、分岐部材１７０、各種センサ１８０、１８２、１８４）および束紙幣処理ユニット２００の各構成部材（具体的には、アーム部２１０、帯封部２１２、テープセット部２１４、帯封紙幣搬送部２１６、帯封紙幣投出部２１８、帯封紙幣収納出金用搬送部２２０、帯封紙幣判別部２２２、リフト部２２４、カセット駆動部２３２）がそれぞれ通信可能に接続されている。そして、バラ紙幣処理ユニット１００の入金識別部１１６や出金識別部１４８による紙幣の識別結果に係る信号や、各種センサ１８０、１８２、１８４による紙幣の検知結果に係る信号、ならびに帯封紙幣判別部２２２による帯封紙幣の金種等の判別結果に係る信号等が制御部１０に送られるようになっている。また、制御部１０は、バラ紙幣処理ユニット１００および束紙幣処理ユニット２００の各構成部材に指令信号を送ることによりこれらの構成部材の制御を行うようになっている。
【００３２】
また、図２に示すように、本実施の形態の紙幣処理機において、制御部１０には表示部１２、操作部１４、記憶部１６、印字部１８および通信インターフェース部２０がそれぞれ通信可能に接続されている。表示部１２は例えばバラ紙幣処理ユニット１００の筐体１０２や束紙幣処理ユニット２００の筐体２０２の前面や上面に設けられたモニタ等からなり、バラ紙幣処理ユニット１００や束紙幣処理ユニット２００による紙幣の処理状況や、一括紙幣収納庫１４０や各金種別紙幣収納庫１４２に収納されている紙幣の在高等に関する情報、および各帯封紙幣収納カセット２３０に収納されている帯封紙幣の在高等に関する情報が表示部１２に表示されるようになっている。また、操作部１４は例えばキーボードや操作キー等からなり、操作者はこの操作部１４により制御部１０に対して様々な指令を与えることができるようになっている。なお、表示部１２および操作部１４がそれぞれ設けられる代わりに、表示部１２および操作部１４の機能が一体化されたタッチパネル等の操作表示部がバラ紙幣処理ユニット１００の筐体１０２や束紙幣処理ユニット２００の筐体２０２の前面や上面に設けられていてもよい。
【００３３】
記憶部１６には、バラ紙幣処理ユニット１００や束紙幣処理ユニット２００による紙幣の処理履歴や、一括紙幣収納庫１４０や各金種別紙幣収納庫１４２に収納されている紙幣の在高等に関する情報、および各帯封紙幣収納カセット２３０に収納されている帯封紙幣の在高等に関する情報が記憶されるようになっている。また、印字部１８は、バラ紙幣処理ユニット１００や束紙幣処理ユニット２００による紙幣の処理履歴や、一括紙幣収納庫１４０や各金種別紙幣収納庫１４２に収納されている紙幣の在高等に関する情報、および各帯封紙幣収納カセット２３０に収納されている帯封紙幣の在高等に関する情報をレシート等に印字するようになっている。また、制御部１０は通信インターフェース部２０を介して本実施の形態による紙幣処理機とは別に設けられた外部装置（具体的には、例えば上位端末）に対して信号の送受信を行うことができるようになっている。
【００３４】
次に、このような構成からなる紙幣処理機の動作について説明する。なお、以下に示すような紙幣処理機の動作は、制御部１０がバラ紙幣処理ユニット１００や束紙幣処理ユニット２００の各構成部材を制御することにより行われるようになっている。
【００３５】
まず、バラ紙幣処理ユニット１００において紙幣の入金処理を行う際の動作について説明する。本実施の形態による紙幣処理機が待機状態となっているときに、操作者が紙幣投入部１１０に紙幣を投入するとともに、入金処理開始の指令を操作部１４により制御部１０に入力したり上位端末等の外部装置から通信インターフェース部２０を介して制御部１０に入金処理開始の指令が送信されたりすると、紙幣投入部１１０に投入された紙幣は紙幣繰出部１１２により１枚ずつ筐体１０２内に繰り出され、入金搬送部１１４により搬送されるようになる。そして、入金搬送部１１４により搬送される紙幣は入金識別部１１６によりその金種、真偽、正損、新旧等が識別される。入金識別部１１６により識別された紙幣は表裏反転部１１８によりその表裏が整えられる。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金識別部１１６により正常な紙幣ではないと識別された紙幣、すなわちリジェクト紙幣は入金搬送部１１４から入金リジェクト部１２０に送られる。入金リジェクト部１２０はバラ紙幣処理ユニット１００の筐体１０２の外部からアクセス可能となっており、紙幣投入部１１０に投入された紙幣が全て筐体１０２内に繰り出されると、操作者はこの入金リジェクト部１２０に集積されたリジェクト紙幣を手動で取り出し、紙幣投入部１１０に再投入等するようになる。
【００３６】
一方、入金識別部１１６により正常な紙幣であると識別された紙幣は、入金搬送部１１４により一括一時保留部１３０または各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別一時保留部１３２が満杯状態である場合には入金処理が停止される。また、正常な紙幣のうち旧券は一括一時保留部１３０に送られるようになる。そして、紙幣投入部１１０に投入された紙幣が全て筐体１０２内に繰り出され、入金リジェクト部１２０、一括一時保留部１３０または各金種別一時保留部１３２に送られると、表示部１２には操作者に対して入金確定の指令を促すメッセージが表示される。このときに、操作者が操作部１４により入金確定の指令を入力すると、一括一時保留部１３０や各金種別一時保留部１３２に一時的に保留されている紙幣が、対応する一括紙幣収納庫１４０や各金種別紙幣収納庫１４２に送られ、これらの紙幣収納庫に収納されるようになる。このようにして、バラ紙幣処理ユニット１００における紙幣の入金処理に係る一連の動作が完了する。
【００３７】
次に、バラ紙幣処理ユニット１００によりバラ紙幣の出金処理を行う際の動作について説明する。本実施の形態による紙幣処理機が待機状態となっているときに、出金すべき紙幣の金種毎の枚数や合計金額等に係る情報を含むバラ紙幣出金処理開始の指令を操作者が操作部１４により制御部１０に入力したり上位端末等の外部装置から通信インターフェース部２０を介して制御部１０に上記のバラ紙幣出金処理開始の指令が送信されたりすると、出金すべき金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０によりバラ紙幣投出部１５２に送られ、このバラ紙幣投出部１５２に集積される。バラ紙幣投出部１５２はバラ紙幣処理ユニット１００の筐体１０２の外部からアクセス可能となっており、バラ紙幣処理ユニット１００において紙幣の出金処理が完了すると、操作者はこのバラ紙幣投出部１５２に集積された紙幣を手動で取り出すようになる。また、上段の引き出し部１９０を筐体１０２の前面から手前側に引き出すことにより、操作者は出金リジェクト部１５４にアクセスして当該出金リジェクト部１５４からリジェクト紙幣を筐体１０２の外部に取り出すことができるようになる。このようにして、バラ紙幣処理ユニット１００におけるバラ紙幣の出金処理に係る一連の動作が完了する。
【００３８】
次に、束紙幣処理ユニット２００により紙幣の帯封処理を行う際の動作について説明する。本実施の形態による紙幣処理機が待機状態となっているときに、形成されるべき帯封紙幣の金種毎の数に係る情報を含む帯封処理開始の指令を操作者が操作部１４により制御部１０に入力したり上位端末等の外部装置から通信インターフェース部２０を介して制御部１０に上記の帯封処理開始の指令が送信されたりすると、帯封紙幣が形成されるべき一または複数の金種のうちある金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０により上下の整理一時保留部１６０のうち一方の整理一時保留部１６０に送られ、当該整理一時保留部１６０に集積される。そして、整理一時保留部１６０に集積された紙幣の枚数が所定の枚数（例えば、１００枚）に達すると、整理一時保留部１６０に集積された紙幣の束がアーム部２１０により当該整理一時保留部１６０から取り出され、この紙幣の束はアーム部２１０により束紙幣処理ユニット２００の帯封部２１２に搬送される。また、アーム部２１０により紙幣の束が一方の整理一時保留部１６０から取り出されている間、出金搬送部１５０から他方の整理一時保留部１６０に紙幣が送られてこの他方の整理一時保留部１６０に紙幣が集積されるようになっている。
【００３９】
アーム部２１０により整理一時保留部１６０から取り出された紙幣の束が当該アーム部２１０により束紙幣処理ユニット２００の帯封部２１２に搬送されると、この帯封部２１２において、テープセット部２１４から当該帯封部２１２に送られた帯封紙により紙幣の束が結束されることによって帯封紙幣が形成される。帯封部２１２により形成された帯封紙幣は帯封紙幣搬送部２１６により帯封紙幣投出部２１８に搬送され、操作者はこの帯封紙幣投出部２１８に送られた帯封紙幣を手動で取り出すことができるようになる。また、帯封紙幣搬送部２１６により帯封紙幣投出部２１８に搬送された帯封紙幣は、当該帯封紙幣投出部２１８から帯封紙幣収納出金用搬送部２２０に搬送され、帯封紙幣判別部２２２を通過した後、この帯封紙幣収納出金用搬送部２２０により各帯封紙幣収納カセット２３０に金種別に収納されるようになっていてもよい。ある金種の紙幣について上述した処理が行われることにより所定数の帯封紙幣が形成されると、別の金種の紙幣について同様の処理が行われることによりこの別の金種についても所定数の帯封紙幣が形成されるようになる。そして、指定された金種毎の数の帯封紙幣が帯封部２１２により形成されると、束紙幣処理ユニット２００における紙幣の帯封処理に係る一連の動作が完了する。
【００４０】
本実施の形態による紙幣処理機では、バラ紙幣の出金処理を行う際に、金種別紙幣収納庫１４２から繰り出された紙幣がバラ紙幣投出部１５２に到達する前に下部搬送部１４６や出金搬送部１５０の搬送路で詰まってしまう等のエラーが発生した場合には、各金種別紙幣収納庫１４２から既に繰り出された紙幣（すなわち、搬送路上におけるエラーの要因となる紙幣を含む全ての紙幣およびバラ紙幣投出部１５２に集積されている紙幣）を筐体１０２の外部に取り出して紙幣投入部１１０に投入し、この紙幣投入部１１０に投入された紙幣を筐体１０２の内部に１枚ずつ繰り出すようなエラー紙幣戻し処理を行うようになっている。このようなバラ紙幣の出金処理に関するエラー紙幣戻し処理の詳細について図３乃至図５に示す説明図および図７に示すフローチャートを用いて以下に説明する。なお、図３乃至図５は、それぞれ、図１等に示す紙幣処理機において出金処理を行う際に紙幣の搬送に係るエラーが発生し、エラー解除により取り出された紙幣を紙幣投入部１１０に投入したときの紙幣の流れを示す説明図であり、図７は、図１等に示す紙幣処理機において出金処理を行う際に紙幣の搬送に係るエラーが発生し、エラー解除により取り出された紙幣を紙幣投入部１１０に投入したときの紙幣処理機の動作を示すフローチャートである。
【００４１】
本実施の形態による紙幣処理機においてバラ紙幣の出金処理を行う際に、金種別紙幣収納庫１４２から繰り出された紙幣がバラ紙幣投出部１５２に到達する前に下部搬送部１４６や出金搬送部１５０の搬送路で詰まってしまう等のエラーが発生した場合には、表示部１２にエラー情報が表示されるようになる。具体的には、筐体１０２内の搬送路で詰まった紙幣を筐体１０２の外部に取り出して紙幣投入部１１０に投入することを操作者に指示する旨のメッセージや操作画面等が表示部１２に表示される。操作者は、表示部１２に表示されたメッセージや操作画面等を見ることにより、紙幣処理機の筐体１０２から各引き出し部１９０、１９２、１９４を手前側に引き出し、下部搬送部１４６や出金搬送部１５０の搬送路で詰まっている紙幣やこれらの下部搬送部１４６や出金搬送部１５０により搬送される最中の紙幣を筐体１０２外に取り出して紙幣投入部１１０に投入する（ＳＴＥＰ１）。また、操作者はバラ紙幣投出部１５２に集積されている紙幣も当該バラ紙幣投出部１５２から取り出して紙幣投入部１１０に投入する（ＳＴＥＰ１）。
【００４２】
エラー紙幣戻し処理において紙幣投入部１１０に紙幣が投入されると、当該紙幣は紙幣繰出部１１２により１枚ずつ入金搬送部１１４に繰り出される（ＳＴＥＰ２）。そして、紙幣繰出部１１２により入金搬送部１１４に繰り出された紙幣は当該入金搬送部１１４により搬送され、入金識別部１１６により識別が行われる（ＳＴＥＰ３）。入金識別部１１６により正常な紙幣であると識別され、かつ出金処理において指定された金種および枚数分の紙幣であると判断された紙幣（すなわち、指定された枚数が例えば５０枚であるときには５０枚目以下の枚数の紙幣）は（ＳＴＥＰ４の「ＹＥＳ」およびＳＴＥＰ５の「ＹＥＳ」）、図３の太線に示すように、入金搬送部１１４や出金搬送部１５０により、一括一時保留部１３０や各金種別一時保留部１３２に送られることなくバラ紙幣投出部１５２に直接送られる（ＳＴＥＰ６）。ここで、入金識別部１１６により正常な紙幣であると識別され、かつ出金処理において指定された金種および枚数分の紙幣であると判断された紙幣は、本来であれば出金処理においてバラ紙幣投出部１５２に集積される紙幣であるため、エラー紙幣戻し処理でもこのような紙幣はバラ紙幣投出部１５２に直接送るようにする。一方、入金識別部１１６により識別することができなかった紙幣や正常な紙幣ではないと識別された紙幣は（ＳＴＥＰ４の「ＮＯ」）、図４の太線で示すように、入金搬送部１１４や出金搬送部１５０により、リジェクト紙幣として出金リジェクト部１５４に送られる（ＳＴＥＰ７）。なお、出金リジェクト部１５４に送られたリジェクト紙幣は機内在高（すなわち、バラ紙幣処理ユニット１００内に収納されている紙幣の在高）として扱われるようになる。ここで、このような紙幣をいきなりリジェクト紙幣として出金リジェクト部１５４に送るようにしてもよいが、入金リジェクト部１２０に一旦送り、再度紙幣投入部１１０へ投入して識別し直して、数回繰り返してもリジェクト紙幣となった場合に、モードを切り替えて出金リジェクト部１５４に送るようにすることもできる。また紙幣投入部１１０から直接出金リジェクト部１５４に搬送することができない場合には、入金リジェクト部１２０の紙幣を手で出金リジェクト部１５４に戻すことも可能である。
【００４３】
また、入金識別部１１６により正常な紙幣であると識別されたが、出金処理において指定された金種および枚数分の紙幣ではないと判断された紙幣は（ＳＴＥＰ４の「ＹＥＳ」およびＳＴＥＰ５の「ＮＯ」）、入金搬送部１１４により一括一時保留部１３０または各金種別一時保留部１３２に送られる（ＳＴＥＰ８）。すなわち、出金処理において指定された金種ではないと入金識別部１１６により識別された紙幣や、出金処理において指定された金種毎の枚数（すなわち、出金されるべき紙幣の金種毎の枚数）を超えているような紙幣は、入金搬送部１１４により一括一時保留部１３０または各金種別一時保留部１３２に送られるようになる。ここで、紙幣処理機においてエラーが発生したときに下部搬送部１４６や出金搬送部１５０から取り出された紙幣やバラ紙幣投出部１５２に集積されている紙幣をそのまま紙幣投入部１１０に投入した場合には、エラー紙幣戻し処理において、通常は、入金識別部１１６により識別された紙幣が、出金処理において指定された金種および枚数分の紙幣ではないと判断されることはないが、例えば金種別紙幣収納庫１４２から紙幣が何枚も重なって繰り出された場合には、出金処理において指定された枚数以上の紙幣が紙幣投入部１１０から戻される場合があり、このような場合には、一括一時保留部１３０や各金種別一時保留部１３２に保管しておいて、一括紙幣収納庫１４０や各金種別紙幣収納庫１４２に戻すようにしている。また、紙幣処理機においてエラーが発生したときに、下部搬送部１４６や出金搬送部１５０から取り出された紙幣やバラ紙幣投出部１５２に集積されている紙幣以外の余分な紙幣が操作者により誤って紙幣投入部１１０に投入されてしまうことも考えられるので、入金識別部１１６により識別された紙幣が、出金処理において指定された金種および枚数分の紙幣ではないと判断された場合には、当該紙幣を入金リジェクト部１２０に一旦送り、入金リジェクト部１２０内の紙幣を取り出して余分な紙幣が混ざってないか確認してから紙幣投入部１１０より機内へ戻すようにしてもよい。
【００４４】
上述したＳＴＥＰ２〜ＳＴＥＰ８に示す動作は、紙幣投入部１１０に投入された紙幣が全て紙幣繰出部１１２により筐体１０２内に繰り出されるまで行われる（ＳＴＥＰ９の「ＮＯ」）。そして、紙幣投入部１１０に投入された紙幣が全て紙幣繰出部１１２により筐体１０２内に繰り出されると（ＳＴＥＰ９の「ＹＥＳ」）、上記のエラー紙幣戻し処理によりバラ紙幣投出部１５２に送られた紙幣の金種毎の枚数が出金処理においてバラ紙幣投出部１５２に送られるべき紙幣の金種毎の枚数と同一である場合には（ＳＴＥＰ１０の「ＮＯ」）、出金されるべき紙幣が全てバラ紙幣投出部１５２に集積された状態となっているため、本実施の形態による紙幣処理機のエラー紙幣戻し処理に関連する一連の動作が完了する。一方、紙幣投入部１１０に投入された紙幣が全て紙幣繰出部１１２により筐体１０２内に繰り出されたときに（ＳＴＥＰ９の「ＹＥＳ」）、上記のエラー紙幣戻し処理によりバラ紙幣投出部１５２に送られた紙幣の金種毎の枚数が出金処理においてバラ紙幣投出部１５２に送られるべき紙幣の金種毎の枚数よりも少ない場合には（ＳＴＥＰ１０の「ＹＥＳ」）、出金されるべき全ての紙幣が未だバラ紙幣投出部１５２に集積されていないため、図５の太線で示すように、各金種別紙幣収納庫１４２から不足分の数の紙幣を紙幣繰出部１４４により下部搬送部１４６に繰り出して当該下部搬送部１４６および出金搬送部１５０によりバラ紙幣投出部１５２に送るようにする（ＳＴＥＰ１１）。このようにして、出金されるべき紙幣が全てバラ紙幣投出部１５２に集積された状態となる。不足分の数の紙幣が全て各金種別紙幣収納庫１４２からバラ紙幣投出部１５２に送られると、本実施の形態による紙幣処理機のエラー紙幣戻し処理に関連する一連の動作が完了する。
【００４５】
また、本実施の形態による紙幣処理機では、紙幣の帯封処理を行う際に、金種別紙幣収納庫１４２から繰り出された紙幣が整理一時保留部１６０に到達する前に下部搬送部１４６や出金搬送部１５０の搬送路で詰まってしまう等のエラーが発生した場合には、各金種別紙幣収納庫１４２から既に繰り出された紙幣（すなわち、搬送路上におけるエラーの要因となる紙幣を含む全ての紙幣および整理一時保留部１６０に集積されている紙幣）を筐体１０２の外部に取り出して紙幣投入部１１０に投入し、この紙幣投入部１１０に投入された紙幣を筐体１０２の内部に１枚ずつ繰り出すようなエラー紙幣戻し処理を行うようになっている。このような紙幣の帯封処理に関連するエラー紙幣戻し処理の詳細について図６に示す説明図および図８に示すフローチャートを用いて以下に説明する。なお、図６は、図１等に示す紙幣処理機において帯封処理を行う際に紙幣の搬送に係るエラーが発生し、エラー解除により取り出された紙幣を紙幣投入部１１０に投入したときの紙幣の流れを示す説明図であり、図８は、図１等に示す紙幣処理機において帯封処理を行う際に紙幣の搬送に係るエラーが発生し、エラー解除により取り出された紙幣を紙幣投入部１１０に投入したときの紙幣処理機の動作を示すフローチャートである。
【００４６】
本実施の形態による紙幣処理機において紙幣の帯封処理を行う際に、金種別紙幣収納庫１４２から繰り出された紙幣が整理一時保留部１６０に到達する前に下部搬送部１４６や出金搬送部１５０の搬送路で詰まってしまう等のエラーが発生した場合には、表示部１２にエラー情報が表示されるようになる。具体的には、筐体１０２内の搬送路で詰まった紙幣を筐体１０２の外部に取り出して紙幣投入部１１０に投入することを操作者に指示する旨のメッセージや操作画面等が表示部１２に表示される。操作者は、表示部１２に表示されたメッセージや操作画面等を見ることにより、紙幣処理機の筐体１０２から各引き出し部１９０、１９２、１９４を手前側に引き出し、下部搬送部１４６や出金搬送部１５０の搬送路で詰まっている紙幣やこれらの下部搬送部１４６や出金搬送部１５０により搬送される最中の紙幣を筐体１０２外に取り出して紙幣投入部１１０に投入する（ＳＴＥＰ２１）。また、操作者は整理一時保留部１６０に集積されている紙幣も当該整理一時保留部１６０から取り出して紙幣投入部１１０に投入する（ＳＴＥＰ２１）。
【００４７】
エラー紙幣戻し処理において紙幣投入部１１０に紙幣が投入されると、当該紙幣は紙幣繰出部１１２により１枚ずつ入金搬送部１１４に繰り出される（ＳＴＥＰ２２）。そして、紙幣繰出部１１２により入金搬送部１１４に繰り出された紙幣は当該入金搬送部１１４により搬送され、入金識別部１１６により識別が行われる（ＳＴＥＰ２３）。入金識別部１１６により正常な紙幣であると識別され、かつ帯封処理において帯封されるべき金種および枚数分の紙幣であると判断された紙幣は（ＳＴＥＰ２４の「ＹＥＳ」およびＳＴＥＰ２５の「ＹＥＳ」）、図６の太線に示すように、入金搬送部１１４や出金搬送部１５０により、一括一時保留部１３０や各金種別一時保留部１３２に送られることなく整理一時保留部１６０に直接送られる（ＳＴＥＰ２６）。ここで、入金識別部１１６により正常な紙幣であると識別され、かつ帯封処理において帯封されるべき金種および枚数分の紙幣であると判断された紙幣は、本来であれば帯封処理において整理一時保留部１６０に集積される紙幣であるため、エラー紙幣戻し処理でもこのような紙幣は整理一時保留部１６０に直接送るようにする。一方、入金識別部１１６により識別することができなかった紙幣や正常な紙幣ではないと識別された紙幣は（ＳＴＥＰ２４の「ＮＯ」）、入金搬送部１１４や出金搬送部１５０により、リジェクト紙幣として出金リジェクト部１５４に送られる（ＳＴＥＰ２７）。なお、出金リジェクト部１５４に送られたリジェクト紙幣は機内在高（すなわち、バラ紙幣処理ユニット１００内に収納されている紙幣の在高）として扱われるようになる。ここで、上記の出金処理の場合と同様に、紙幣をいきなりリジェクト紙幣として出金リジェクト部１５４に送るようにしてもよいが、入金リジェクト部１２０に一旦送り、再度紙幣投入部１１０へ投入して識別し直して、数回繰り返してもリジェクト紙幣となった場合に、モードを切り替えて出金リジェクト部１５４に送るようにすることもできる。また紙幣投入部１１０から直接出金リジェクト部１５４に搬送することができない場合には、入金リジェクト部１２０の紙幣を手で出金リジェクト部１５４に戻すことも可能である。
【００４８】
また、入金識別部１１６により正常な紙幣であると識別されたが、帯封処理において帯封されるべき紙幣ではないと判断された紙幣は（ＳＴＥＰ２４の「ＹＥＳ」およびＳＴＥＰ２５の「ＮＯ」）、入金搬送部１１４により一括一時保留部１３０または各金種別一時保留部１３２に送られる（ＳＴＥＰ２８）。すなわち、帯封処理において指定された金種ではないと入金識別部１１６により識別された紙幣や、帯封処理において指定された帯封紙幣の金種毎の束数に対応する枚数を超えているような紙幣は、入金搬送部１１４により一括一時保留部１３０または各金種別一時保留部１３２に送られるようになる。ここで、紙幣処理機においてエラーが発生したときに下部搬送部１４６や出金搬送部１５０から取り出された紙幣や整理一時保留部１６０に集積されている紙幣をそのまま紙幣投入部１１０に投入した場合には、エラー紙幣戻し処理において、通常は、入金識別部１１６により識別された紙幣が、帯封処理において帯封されるべき紙幣ではないと判断されることはないが、例えば金種別紙幣収納庫１４２から紙幣が何枚も重なって繰り出された場合には、帯封処理において指定された枚数以上の紙幣が紙幣投入部１１０から戻される場合があり、このような場合には、一括一時保留部１３０や各金種別一時保留部１３２に保管しておいて、一括紙幣収納庫１４０や各金種別紙幣収納庫１４２に戻すようにしている。また、紙幣処理機においてエラーが発生したときに、下部搬送部１４６や出金搬送部１５０から取り出された紙幣や整理一時保留部１６０に集積されている紙幣以外の余分な紙幣が操作者により誤って紙幣投入部１１０に投入されてしまうことも考えられるので、入金識別部１１６により識別された紙幣が、帯封処理において指定された金種および枚数分の紙幣ではないと判断された場合には、当該紙幣を入金リジェクト部１２０に一旦送り、入金リジェクト部１２０内の紙幣を取り出して余分な紙幣が混ざってないか確認してから紙幣投入部１１０より機内へ戻すようにしてもよい。
【００４９】
上述したＳＴＥＰ２２〜ＳＴＥＰ２８に示す動作は、紙幣投入部１１０に投入された紙幣が全て紙幣繰出部１１２により筐体１０２内に繰り出されるまで行われる（ＳＴＥＰ２９の「ＮＯ」）。そして、紙幣投入部１１０に投入された紙幣が全て紙幣繰出部１１２により筐体１０２内に繰り出されると（ＳＴＥＰ２９の「ＹＥＳ」）、上記のエラー紙幣戻し処理により整理一時保留部１６０に送られた紙幣の金種毎の枚数が帯封処理において整理一時保留部１６０に送られるべき紙幣の金種毎の枚数と同一である場合には（ＳＴＥＰ３０の「ＮＯ」）、帯封されるべき紙幣が全て整理一時保留部１６０に集積された状態となっているため、本実施の形態による紙幣処理機のエラー紙幣戻し処理に関連する一連の動作が完了する。一方、紙幣投入部１１０に投入された紙幣が全て紙幣繰出部１１２により筐体１０２内に繰り出されたときに（ＳＴＥＰ２９の「ＹＥＳ」）、上記のエラー紙幣戻し処理により整理一時保留部１６０に送られた紙幣の金種毎の枚数が帯封処理において整理一時保留部１６０に送られるべき紙幣の金種毎の枚数よりも少ない場合には（ＳＴＥＰ３０の「ＹＥＳ」）、帯封されるべき全ての紙幣が未だ整理一時保留部１６０に集積されていないため、各金種別紙幣収納庫１４２から不足分の数の紙幣を紙幣繰出部１４４により下部搬送部１４６に繰り出して当該下部搬送部１４６および出金搬送部１５０により整理一時保留部１６０に送るようにする（ＳＴＥＰ３１）。このようにして、帯封されるべき紙幣が全て整理一時保留部１６０に集積された状態となる。不足分の数の紙幣が全て各金種別紙幣収納庫１４２から整理一時保留部１６０に送られると、本実施の形態による紙幣処理機のエラー紙幣戻し処理に関連する一連の動作が完了する。
【００５０】
以上のように、本実施の形態の紙幣処理機では、バラ紙幣の出金処理や紙幣の帯封処理において金種別紙幣収納庫１４２から繰り出された紙幣が下部搬送部１４６や出金搬送部１５０により送られるバラ紙幣投出部１５２や整理一時保留部１６０を目的部としたときに、制御部１０は、これらの出金処理や帯封処理を行う際に紙幣の搬送に係るエラーが発生したときに、出金処理や帯封処理において金種別紙幣収納庫１４２から繰り出された紙幣（すなわち、下部搬送部１４６や出金搬送部１５０の搬送路で詰まった紙幣やこれらの下部搬送部１４６や出金搬送部１５０により搬送されている最中の紙幣、ならびにバラ紙幣投出部１５２や整理一時保留部１６０に集積されている紙幣）であって紙幣投入部１１０に投入された紙幣を、入金搬送部１１４や出金搬送部１５０により当該目的部に直接送るエラー紙幣戻し処理を行うようになっている。このように、本実施の形態の紙幣処理機では、エラー紙幣戻し処理において、紙幣投入部１１０に投入された紙幣を、一括一時保留部１３０や各金種別一時保留部１３２に送って一括紙幣収納庫１４０や金種別紙幣収納庫１４２に一旦収納させるのではなく、バラ紙幣投出部１５２や整理一時保留部１６０からなる目的部に直接送ることにより、出金処理や帯封処理を最初からやり直す必要がないため当該処理が完了するまでにかかる時間を短縮することができる。より詳細に説明すると、従来技術の紙幣処理機では、出金処理や帯封処理を行う際に紙幣の搬送に係るエラーが発生したときに、搬送路で詰まった紙幣や搬送路において搬送されている最中の紙幣、ならびにバラ紙幣投出部や整理一時保留部に集積されている紙幣を紙幣投入部に投入すると、紙幣投入部に投入された紙幣は一括紙幣収納庫や金種別紙幣収納庫に一旦戻され、紙幣投入部に投入された紙幣が全て一括紙幣収納庫や金種別紙幣収納庫に収納された後に、出金処理や帯封処理を最初からやり直していた。しかしながら、このようなエラー紙幣戻し処理を行う際に紙幣投入部に投入された紙幣を全て一括紙幣収納庫や金種別紙幣収納庫に戻し、出金処理や帯封処理を最初からやり直す場合には、出金処理や帯封処理が完了するまでに時間がかかるという問題があった。これに対し、本実施の形態の紙幣処理機では、紙幣投入部１１０に投入された紙幣を、一括一時保留部１３０や各金種別一時保留部１３２に送って一括紙幣収納庫１４０や金種別紙幣収納庫１４２に一旦収納させるのではなく、バラ紙幣投出部１５２や整理一時保留部１６０からなる目的部に直接送ることにより、出金処理や帯封処理が完了するまでにかかる時間を短縮することができるようになる。また、従来技術の紙幣処理機では、出金処理や帯封処理が完了するまでに時間がかかるため、操作者は急いでいるときにはこれらの処理を早く完了させるために上記のエラー紙幣戻し処理を出金処理や帯封処理の後に行う場合があるが、このような場合には出金処理や帯封処理が完了した後にエラー紙幣戻し処理を行うことを操作者が忘れてしまうおそれがある。これに対し、本実施の形態の紙幣処理機では、出金処理や帯封処理が完了するまでにかかる時間が短縮されることにより、エラー紙幣戻し処理が出金処理や帯封処理等よりも後回しにされてしまうことを極力抑制することができる。
【００５１】
また、本実施の形態の紙幣処理機においては、上述したように、制御部１０は、エラー紙幣戻し処理によりバラ紙幣投出部１５２や整理一時保留部１６０からなる目的部に送られた紙幣の数が出金処理や帯封処理により目的部に送られるべき紙幣の数よりも少ないときに、図７のＳＴＥＰ１１や図８のＳＴＥＰ３１に示すように、金種別紙幣収納庫１４２から不足分の数の紙幣を繰り出して下部搬送部１４６や出金搬送部１５０により目的部に送る追加処理を行うようになっている。このことにより、バラ紙幣投出部１５２や整理一時保留部１６０に所望の数の紙幣を送ることができるようになり、出金されるべき数の紙幣が全てバラ紙幣投出部１５２に集積されたり帯封されるべき数の紙幣が全て整理一時保留部１６０に集積されたりするようになる。
【００５２】
また、本実施の形態の紙幣処理機においては、上述したように、制御部１０は、エラー紙幣戻し処理を行う際に、紙幣投入部１１０に投入された紙幣を入金識別部１１６により識別し、当該入金識別部１１６による識別結果に基づいてバラ紙幣投出部１５２や整理一時保留部１６０からなる目的部に送るべきではないと判別された紙幣を出金リジェクト部１５４に送るようになっている。このことにより、入金識別部１１６により識別することができなかった紙幣や正常な紙幣ではないと識別された紙幣がバラ紙幣投出部１５２や整理一時保留部１６０からなる目的部に送られることが防止されるため、正常な紙幣のみを出金したり帯封したりすることができるようになる。
【００５３】
なお、本実施の形態による紙幣処理機やこのような紙幣処理機による紙幣処理方法は、上述したような態様に限定されることはなく、様々な変更を加えることができる。
【００５４】
例えば、金種別紙幣収納庫１４２から繰り出された紙幣が下部搬送部１４６や出金搬送部１５０により送られる目的部は、バラ紙幣投出部１５２や整理一時保留部１６０に限定されることはない。紙幣処理機のバラ紙幣処理ユニット１００におけるバラ紙幣投出部１５２や整理一時保留部１６０以外の箇所を目的部に設定し、金種別紙幣収納庫１４２から繰り出された紙幣をこのような目的部に送る通常処理において紙幣の搬送に係るエラーが発生したときに、金種別紙幣収納庫１４２から繰り出された紙幣を紙幣投入部１１０に投入すると当該紙幣投入部１１０に投入された紙幣が目的部に直接送られるようになっていてもよい。
【００５５】
また、紙幣処理機において、例えばバラ紙幣投出部１５２に紙幣を送ることにより当該紙幣を回収するような紙幣の回収処理が行われる際に、一括紙幣収納庫１４０や金種別紙幣収納庫１４２から繰り出された紙幣をバラ紙幣投出部１５２に送るときに紙幣の搬送に係るエラーが発生した場合に、上述した出金処理におけるエラー紙幣戻し処理と同様に、一括紙幣収納庫１４０や金種別紙幣収納庫１４２から繰り出された紙幣を紙幣投入部１１０に投入すると当該紙幣投入部１１０から筐体１０２内に繰り出された紙幣が一括紙幣収納庫１４０や金種別紙幣収納庫１４２に戻されるのではなくバラ紙幣投出部１５２に直接送られるようになっていてもよい。
【００５６】
また、バラ紙幣処理ユニット１００において筐体１０２の前面から手前側に引き出すことができる引き出し部１９２に一括一時保留部１３０や各金種別一時保留部１３２が設けられている場合において、紙幣処理機において紙幣の回収処理が行われる際に、一括紙幣収納庫１４０や金種別紙幣収納庫１４２から繰り出された紙幣がバラ紙幣投出部１５２ではなく一括一時保留部１３０や各金種別一時保留部１３２に送られるようになっていてもよい。この場合には、一括紙幣収納庫１４０や金種別紙幣収納庫１４２に収納されている紙幣が全て一括一時保留部１３０や各金種別一時保留部１３２に送られた後、操作者は一括一時保留部１３０や各金種別一時保留部１３２が設けられた引き出し部１９２を筐体１０２から手前側に引き出すことにより、これらの一括一時保留部１３０や各金種別一時保留部１３２から紙幣を回収することができるようになる。また、この場合には、紙幣の回収処理が行われる際に、一括紙幣収納庫１４０や金種別紙幣収納庫１４２から繰り出された紙幣を一括一時保留部１３０や各金種別一時保留部１３２に送るときに紙幣の搬送に係るエラーが発生した場合に、一括紙幣収納庫１４０や金種別紙幣収納庫１４２から繰り出された紙幣を紙幣投入部１１０に投入すると当該紙幣投入部１１０から筐体１０２内に繰り出された紙幣が一括一時保留部１３０や各金種別一時保留部１３２に直接送られるようになる。このように、金種別紙幣収納庫１４２から繰り出された紙幣が送られる目的部として、一括一時保留部１３０や各金種別一時保留部１３２が用いられる場合がある。
【００５７】
また、紙幣投入部１１０に投入された紙幣が紙幣繰出部１１２により筐体１０２内に繰り出されたときに、この筐体１０２内に繰り出された紙幣を出金リジェクト部１５４に直接送ることができないようになっている場合には、上記のエラー紙幣戻し処理において、入金識別部１１６により識別することができなかった紙幣や正常な紙幣ではないと識別された紙幣を、入金搬送部１１４により入金リジェクト部１２０に送るようにしてもよい。この場合には、操作者は入金リジェクト部１２０から紙幣を取り出した後、手動で出金リジェクト部１５４に集積させるようにする。このことにより、エラー紙幣戻し処理において入金識別部１１６により識別することができなかった紙幣や正常な紙幣ではないと識別された紙幣を機内在高（バラ紙幣処理ユニット１００内に収納されている紙幣の在高）として扱うことができるようになる。
【００５８】
また、本発明の貨幣処理機は、紙幣の出金処理や帯封処理等の様々な処理を行う上記の紙幣処理機に限定されることはない。本発明の貨幣処理機として、硬貨の出金処理や包装処理を行う硬貨処理機を用いることができ、この場合に本発明の原理を硬貨処理機に適用することができる。より詳細には、本発明の原理が適用される硬貨処理機では、制御部は、硬貨の収納および繰り出しを行う収納繰出部から硬貨を繰り出して搬送部により目的部に送る通常処理、および通常処理を行う間に硬貨の搬送に係るエラーが発生したときに通常処理において収納繰出部から繰り出された硬貨であって硬貨投入部に投入された硬貨を搬送部により目的部に直接送るエラー硬貨戻し処理をそれぞれ行うようになっていてもよい。具体的には、硬貨処理機において行われる上記の通常処理は、収納繰出部に収納されている硬貨を筐体の外部に投出する出金処理であり、目的部は、筐体の内部から外部に硬貨を投出するための硬貨投出部であってもよい。あるいは、硬貨処理機において行われる上記の通常処理は、収納繰出部に収納されている硬貨を当該収納繰出部から繰り出して所定枚数（例えば、５０枚）だけ集積させた後にこの集積硬貨を包装紙により包装して包装硬貨を形成する包装処理であり、目的部は、包装処理において包装されるべき硬貨が集積される包装硬貨用集積部であってもよい。また、帯封紙幣の出金を行う帯封紙幣出金機についても筐体内の機構を工夫すれば本発明の原理を適用することができる。
【符号の説明】
【００５９】
１０    制御部
１２    表示部
１４    操作部
１６    記憶部
１８    印字部
２０    通信インターフェース部
１００  バラ紙幣処理ユニット
１０２  筐体
１１０  紙幣投入部
１１２  紙幣繰出部
１１４  入金搬送部
１１６  入金識別部
１１８  表裏反転部
１２０  入金リジェクト部
１３０  一括一時保留部
１３２  金種別一時保留部
１４０  一括紙幣収納庫（収納繰出部）
１４２  金種別紙幣収納庫（収納繰出部）
１４４  紙幣繰出部
１４６  下部搬送部
１４８  出金識別部
１５０  出金搬送部
１５２  バラ紙幣投出部
１５４  出金リジェクト部
１６０  整理一時保留部（帯封紙幣用集積部）
１７０  分岐部材
１８０  紙幣検出センサ
１８２  紙幣厚さ検知センサ
１８４  半券検知センサ
１９０、１９２、１９４  引き出し部
２００  束紙幣処理ユニット
２０２  筐体
２１０  アーム部
２１２  帯封部
２１４  テープセット部
２１６  帯封紙幣搬送部
２１８  帯封紙幣投出部
２２０  帯封紙幣収納出金用搬送部
２２２  帯封紙幣判別部
２２４  リフト部
２３０  帯封紙幣収納カセット
２３２  カセット駆動部
【図１】
0006399918.tif 000002
【図２】
0006399918.tif 000003
【図３】
0006399918.tif 000004
【図４】
0006399918.tif 000005
【図５】
0006399918.tif 000006
【図６】
0006399918.tif 000007
【図７】
0006399918.tif 000008
【図８】
0006399918.tif 000009